【手続補正書】
【提出日】平成15年10月27日(2003.10.27)
【手続補正１】
【補正対象書類名】明細書
【補正対象項目名】特許請求の範囲
【補正方法】変更
【補正の内容】
【特許請求の範囲】
【請求項１】
情報伝送路を用いて送信する情報をカテゴライズし、各カテゴリーに応じて決められた情報送信のタイミングに従い、情報を送信することを特徴とする情報送信方法。
【請求項２】
情報伝送路を用いて受信する情報をカテゴライズし、各カテゴリーに応じて決められた情報受信のタイミングに従い、情報の受信取込み処理を行うことを特徴とする情報受信方法。
【請求項３】
前記情報伝送路として人工衛星または光ファイバーを用いることを特徴とする請求項１の情報送信方法。
【請求項４】
前記情報伝送路として人工衛星または光ファイバーを用いることを特徴とする請求項２の情報受信方法。
【請求項５】
請求項１において、送信情報は、送信すべきデータ情報に当該データ情報に対応した情報の種別，名称，属性並びに作成元を含むラベル情報と、前記カテゴリー情報、及びバージョン情報を付加したブロードキャストベースとすることを特徴とする情報送信方法。
【請求項６】
請求項１において、前記カテゴライズは情報内容の更新頻度及び／または緊急性によって決めることを特徴とする情報送信方法。
【請求項７】
請求項２において、前記カテゴライズは情報内容の更新頻度及び／または緊急性によって決めることを特徴とする情報受信方法。
【請求項８】
請求項６において、情報内容の更新頻度及び／または緊急性により決められたカテゴリーに基づき、情報送信のタイミングを、前記情報伝送路の使用状況（混雑状況及び／またはあき状況）を勘案して各々決定することを特徴とする情報送信方法。
【請求項９】
請求項７において、情報内容の更新頻度及び／または緊急性により決められたカテゴリーに基づき、情報受信のタイミングを、受信側情報処理システムの使用状況を勘案して各々決定することを特徴とする情報受信方法。
【請求項１０】
請求項６において、前記カテゴライズは、（１）情報量が膨大でも変更頻度が比較的少ない情報、（２）前記（１）の情報よりは比較的変更の度合いが高い情報、或いは前記
（１）の情報の変更若しくは追加の情報、（３）前記（１）及び（２）の情報に比べて変化の度合いが高い前記（１）及び（２）に関連する情報或いは追加の情報、及び放送事業を目的として送出される情報、（４）極めて緊急性の高い重要情報、の少なくとも４つとし、カテゴライズされた情報は夫々に応じたタイミングで情報をブロードキャスト送信することを特徴とする情報送信方法。
【請求項１１】
請求項７において、前記カテゴライズは、（１）情報量が膨大でも変更頻度が比較的少ない情報、（２）前記（１）の情報よりは比較的変更の度合いが高い情報、或いは前記
（１）の情報の変更若しくは追加の情報、（３）前記（１）及び（２）の情報に比べて変化の度合いが高い前記（１）及び（２）に関連する情報或いは追加の情報、及び放送事業を目的として送出される情報、（４）極めて緊急性の高い重要情報、の少なくとも４つとし、カテゴライズされた情報は夫々に応じたタイミングで情報の受信取込み処理を行うことを特徴とする情報受信方法。
【請求項１２】
放送事業を目的として送出される情報の送信用に割り当てられた専用の情報送信チャンネルにおいて、放送用情報を情報圧縮する事により空いた情報送信チャンネルの空き時間に、異なる情報を時分割送信することを特徴とする情報送信方法。
【請求項１３】
情報伝送路を用いてカテゴライズされた情報を取り込むに際し、各カテゴリーに応じて決められた情報取り込みのタイミングで情報取り込みを行うようにすることを特徴とする情報受信方法。
【請求項１４】
情報伝送路を用いてカテゴライズされた情報を取り込むに際し、各カテゴリーに応じて決められた情報取り込みのタイミングで情報取り込みを行うようにする受信側情報処理システムにおいて、送信されてきた情報を受信側情報処理システムの動作状態の如何に関わらず一時的に格納しておく一次バッファ装置と、受信側情報処理システムからの出力情報として使用する情報を格納しておく主記憶装置、及び入出力装置等を有し、一次バッファ装置に記憶された情報を編集・加工処理し作成された情報を主記憶装置への格納情報とする事を特徴とする受信側情報処理システム。
【請求項１５】
情報伝送路を用いてカテゴライズされた情報を取り込むに際し、各カテゴリーに応じて決められた情報取り込みのタイミングで情報取り込みを行うようにする受信側情報処理システムにおいて、受信側では、送信されてきた情報に付加されたラベル情報及びバージョン情報に基づき、当該情報が当該情報処理システムにとって取り込むべき情報か否かを判断し、その結果に基づき当該情報を取り込むか読み飛ばすか及び／または無視するかを決定し、取り込むと判断された情報には情報処理システムに予め設けられた一次バッファ装置に順次格納していくことを特徴とする受信側情報処理システム。
【請求項１６】
情報伝送路を用いてカテゴライズされた情報を取り込むに際し、各カテゴリーに応じて決められた情報取り込みのタイミングで情報取り込みを行うようにする受信側情報処理システムにおいて、当該受信側情報処理システムに取り込める有料情報を規定する情報、並びに現在既に当該受信側情報処理システムに取り込まれている有料情報のラベル情報，バージョン情報及び新規に有料情報を取り込む際に必要となる費用振替先情報を記録登録しておく登録情報記録媒体を用いることを特徴とする受信側情報処理システム。
【請求項１７】
情報伝送路を用いてカテゴライズされた情報を取り込むに際し、各カテゴリーに応じて決められた情報取り込みのタイミングで情報取り込みを行うようにする受信側情報処理システムにおいて、一次バッファに蓄積された情報は、当該情報に附加されたカテゴリー情報に基づき、カテゴリー情報が示すタイミングを優先順位として用い受信側情報処理システムの空き時間も活用して情報の編集・加工処理を行い、受信側情報処理システムに予め設けられた主記憶装置に新たに格納、或いは既に主記憶装置に格納されている旧バージョンの情報の書き換えを行うことを特徴とする受信側情報処理システム。
【請求項１８】
伝送源からの伝送情報を固定受信局で受信し、同じく前記伝送情報を受信する装置を具備した移動体が前記固定受信局からも前記伝送情報の入手をするようにしたことを特徴とする情報入手方法。
【請求項１９】
伝送源からの伝送情報を受信する複数の固定受信局が、前記伝送源が送出する全情報最新バージョンの受信と蓄積、及び個々の移動体が要求する情報を検索し、各々の移動体の側受信側情報処理システムに伝送する機能を具備し、該固定受信経由でも移動体側受信側情報処理システムに最新情報を伝送できるようにすることを特徴とする情報伝送方法。
【請求項２０】
伝送源からの伝送情報を固定受信局で受信し、同じく伝送情報を受信する装置を具備した移動体が前記固定受信局からも前記伝送情報を入手し得るように、複数の前記各固定受信局に蓄積されている全情報のラベル情報，バージョン情報と、該固定受信局の稼動記録，動作記録を、無線或いは有線の情報伝送路を介してこれら固定受信局の管理用に設けられた情報処理システムに取り込めるようにしたことを特徴とした情報伝送方法。
【請求項２１】
伝送源からの伝送情報を固定受信局で受信し、同じく前記伝送情報を受信する装置を具備した移動体が前記固定受信局からも前記伝送情報の入手できるようにしたシステムに用いるものであって、前記各固定受信局がガソリンスタンド，自動車整備工場，駐車場、または店舗に付設されることを特徴とする情報配信方法。
【請求項２２】
人工衛星からの通信を受信する設備と情報処理機器とを備え、該情報処理機器が、移動体へ直接或いは情報伝達媒体を介して間接に情報を引き出せる機能を具備してなることを特徴とする情報サービスステーション。